【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
方法であって、
共同ビデオプロジェクトがシェアされる複数のユーザアカウントの中の第１のユーザアカウントのために、ディスプレイ装置上のユーザインタフェース内の前記共同ビデオプロジェクトの提示を、処理デバイスによってもたらすステップであって、ここで前記第１のユーザアカウントのために提示される前記共同ビデオプロジェクトは、前記共同ビデオプロジェクトが前記複数のユーザアカウントとシェアされていることに応答して前記複数のユーザアカウントによって前記共同ビデオプロジェクト内でアクセス可能な１つまたは複数のシェアされたビデオクリップのセットと、前記共同ビデオプロジェクト内で前記第１のユーザアカウントによってアクセス可能であり、かつ前記共同ビデオプロジェクト内で前記第１のユーザアカウント以外の前記複数のユーザアカウントのそれぞれによってアクセス不可である、１つまたは複数のパーソナルビデオクリップの第１のセットと、を含む、提示をもたらすステップと、
第１のユーザ入力を、前記第１のユーザアカウントのためのコンピュータデバイスから受信するステップであって、ここで前記第１のユーザ入力は、前記第１のユーザアカウントのために提示された前記ユーザインタフェース内の１つまたは複数のパーソナルビデオクリップの、前記第１のセット内の第１のビデオクリップの選択を含む、受信するステップと、
前記第１のユーザ入力を受信するステップに応答して、前記第１のビデオクリップを、前記ユーザインタフェース内の１つまたは複数のシェアされたビデオクリップの前記セットに追加するステップと、
前記複数のユーザアカウントの中の、第２のユーザアカウントのために、ディスプレイ装置上の前記ユーザインタフェース内の前記共同ビデオプロジェクトの提示を前記処理デバイスによってもたらすステップであって、ここで前記第２のユーザアカウントのために提示される前記共同ビデオプロジェクトは、１つまたは複数のシェアされたビデオクリップの前記セットと、前記共同ビデオプロジェクト内で前記第２のユーザアカウントによってアクセス可能であり、かつ前記共同ビデオプロジェクト内で前記第２のユーザアカウント以外の前記複数のユーザアカウントのそれぞれによってアクセス不可である、１つまたは複数のパーソナルビデオクリップの第２のセットと、を含む、提示をもたらすステップと、
第２のユーザ入力を、前記第２のユーザアカウントのためのコンピュータデバイスから受信するステップであって、ここで前記第２のユーザ入力は、前記第２のユーザアカウントのために提示された前記ユーザインタフェース内の１つまたは複数のシェアされたビデオクリップの、前記セット内の前記第１のビデオクリップの選択を含む、受信するステップと、
前記第２のユーザ入力を受信するステップに応答して、前記第１のビデオクリップを、前記ユーザインタフェース内の前記共同ビデオプロジェクトのための共同ビデオに追加するステップと、を含む、
方法。
【請求項２】
第３のユーザ入力を、前記第２のユーザアカウントのために、コンピュータデバイスから受信するステップであって、ここで前記第３のユーザ入力は、前記第２のユーザアカウントのために提示された前記ユーザインタフェース内の前記共同ビデオの前記第１のビデオクリップ上で行う第１のビデオ編集動作の選択を含む、受信するステップと、
前記第３のユーザ入力を受信するステップに応答して、前記ユーザインタフェース内の前記共同ビデオの前記第１のビデオクリップ上で前記第１のビデオ編集動作を行うステップと、をさらに含む、
請求項１に記載の方法。
【請求項３】
第４のユーザ入力を、前記第２のユーザアカウントのために、コンピュータデバイスから受信するステップであって、ここで前記第４のユーザ入力は、前記第２のユーザアカウントのために提示された前記ユーザインタフェース内の１つまたは複数のパーソナルビデオクリップの前記第２のセット内の第２のビデオクリップの選択を含む、受信するステップと、
前記第４のユーザ入力を受信するステップに応答して、１つまたは複数のシェアされたビデオクリップの前記セットおよび前記ユーザインタフェース内の前記共同ビデオの両方に、前記第２のビデオクリップを追加するステップと、をさらに含む、
請求項２に記載の方法。
【請求項４】
第５のユーザ入力を、前記第２のユーザアカウントのために、コンピュータデバイスから受信するステップであって、ここで前記第５のユーザ入力は、前記第２のユーザアカウントのために提示された前記ユーザインタフェース内の前記共同ビデオの前記第２のビデオクリップ上で行う第２のビデオ編集動作の選択を含む、受信するステップと、
前記第５のユーザ入力を受信するステップに応答して、前記ユーザインタフェース内の前記共同ビデオの前記第２のビデオクリップ上で前記第２のビデオ編集動作を行うステップと、をさらに含む、
請求項３に記載の方法。
【請求項５】
第３のユーザ入力を、前記第１のユーザアカウントのために、コンピュータデバイスから受信するステップであって、ここで前記第３のユーザ入力は、前記第２のユーザアカウントを前記複数のユーザアカウントに追加するリクエストを含む、受信するステップと、
前記第３のユーザ入力を受信するステップに応答して、前記共同ビデオプロジェクトがシェアされる前記複数のユーザアカウントに、前記第２のユーザアカウントを追加するステップと、をさらに含む、
請求項１に記載の方法。
【請求項６】
前記複数のユーザアカウントに前記第２のユーザアカウントを追加するステップに応答して、前記第２のユーザアカウントに、前記第２のユーザアカウントが前記複数のユーザアカウントに追加されたという通知を送信するステップであって、ここで前記通知は、前記共同ビデオプロジェクトへのリンクを含む、ステップと、
前記第２のユーザアカウントによる前記リンクの選択に応答して、前記共同ビデオプロジェクトを提示するリクエストを受信するステップであって、ここで前記第２のユーザアカウントのために前記共同ビデオプロジェクトの前記提示をもたらすステップは、前記共同ビデオプロジェクトを提示する前記リクエストを受信するステップに応答する、ステップと、をさらに含む、
請求項５に記載の方法。
【請求項７】
前記複数のユーザアカウント中の各ユーザアカウントは、前記リンクへのアクセスを有する、請求項６に記載の方法。
【請求項８】
処理デバイスによって実行されるとき、前記処理デバイスに動作を行わせる命令を格納した、非一時的コンピュータ可読媒体であって、前記動作は、
共同ビデオプロジェクトがシェアされる複数のユーザアカウントの中の第１のユーザアカウントのためにディスプレイ装置上のユーザインタフェース内で前記共同ビデオプロジェクトの提示を前記処理デバイスによってもたらすことであって、ここで前記第１のユーザアカウントのために提示される前記共同ビデオプロジェクトは、前記共同ビデオプロジェクトが前記複数のユーザアカウントとシェアされていることに応答して、前記共同ビデオプロジェクト内で前記複数のユーザアカウントによってアクセス可能な１つまたは複数のシェアされたビデオクリップのセットと、前記共同ビデオプロジェクト内で前記第１のユーザアカウントによってアクセス可能であり、かつ前記共同ビデオプロジェクト内で前記第１のユーザアカウント以外の前記複数のユーザアカウントのそれぞれによってアクセス不可である、１つまたは複数のパーソナルビデオクリップの第１のセットと、を含むことと、
第１のユーザ入力を、前記第１のユーザアカウントのためにコンピュータデバイスから受信することであって、ここで前記第１のユーザ入力は、前記第１のユーザアカウントのために提示される前記ユーザインタフェース内の１つまたは複数のパーソナルビデオクリップの、前記第１のセット内の第１のビデオクリップを選択することを含むことと、
前記第１のユーザ入力を受信することに応答して、前記第１のビデオクリップを、前記ユーザインタフェース内の１つまたは複数のシェアされたビデオクリップの前記セットに追加することと、
前記複数のユーザアカウントの中の、第２のユーザアカウントのために、ディスプレイ装置上の前記ユーザインタフェース内の前記共同ビデオプロジェクトの提示を前記処理デバイスによってもたらすことであって、ここで前記第２のユーザアカウントのために提示される前記共同ビデオプロジェクトは、１つまたは複数のシェアされたビデオクリップの前記セットと、前記共同ビデオプロジェクト内で前記第２のユーザアカウントによってアクセス可能であり、かつ前記共同ビデオプロジェクト内で前記第２のユーザアカウント以外の前記複数のユーザアカウントのそれぞれによってアクセス不可である、１つまたは複数のパーソナルビデオクリップの第２のセットと、を含むことと、
第２のユーザ入力を、前記第２のユーザアカウントのためにコンピュータデバイスから受信することであって、ここで前記第２のユーザ入力は、前記第２のユーザアカウントのために提示された前記ユーザインタフェース内の１つまたは複数のシェアされたビデオクリップの、前記セット内の前記第１のビデオクリップの選択を含むことと、
前記第２のユーザ入力を受信することに応答して、前記第１のビデオクリップを、前記ユーザインタフェース内の前記共同ビデオプロジェクトのための共同ビデオに追加することと、を含む、
非一時的コンピュータ可読媒体。
【請求項９】
前記動作が、
第３のユーザ入力を、前記第２のユーザアカウントのためのコンピュータデバイスから受信することであって、ここで前記第３のユーザ入力は、前記第２のユーザアカウントのために提示された前記ユーザインタフェース内の前記共同ビデオの前記第１のビデオクリップ上で行う第１のビデオ編集動作の選択を含むことと、
前記第３のユーザ入力を受信することに応答して、前記ユーザインタフェース内の前記共同ビデオの前記第１のビデオクリップ上で前記第１のビデオ編集動作を行うことと、をさらに含む、
請求項８に記載の非一時的コンピュータ可読媒体。
【請求項１０】
前記動作が、
第４のユーザ入力を、前記第２のユーザアカウントのためにコンピュータデバイスから受信することであって、ここで前記第４のユーザ入力は、前記第２のユーザアカウントのために提示された前記ユーザインタフェース内の１つまたは複数のパーソナルビデオクリップの前記第２のセット内の第２のビデオクリップの選択を含むことと、
前記第４のユーザ入力を受信することに応答して、１つまたは複数のシェアされたビデオクリップの前記セットおよび前記ユーザインタフェース内の前記共同ビデオの両方に、前記第２のビデオクリップを追加することと、をさらに含む、
請求項９に記載の非一時的コンピュータ可読媒体。
【請求項１１】
前記動作が、
第５のユーザ入力を、前記第２のユーザアカウントのためにコンピュータデバイスから受信することであって、ここで前記第５のユーザ入力は、前記第２のユーザアカウントのために提示された前記ユーザインタフェース内の前記共同ビデオの前記第２のビデオクリップ上で行う第２のビデオ編集動作の選択を含むことと、
前記第５のユーザ入力を受信することに応答して、前記ユーザインタフェース内の前記共同ビデオの前記第２のビデオクリップ上で前記第２のビデオ編集動作を行うことと、をさらに含む、
請求項１０に記載の非一時的コンピュータ可読媒体。
【請求項１２】
前記動作が、
第３のユーザ入力を、前記第１のユーザアカウントのためにコンピュータデバイスから受信することであって、ここで前記第３のユーザ入力は、前記第２のユーザアカウントを前記複数のユーザアカウントに追加するリクエストを含むことと、
前記第３のユーザ入力を受信することに応答して、前記共同ビデオプロジェクトがシェアされる前記複数のユーザアカウントに、前記第２のユーザアカウントを追加することと、をさらに含む、
請求項８に記載の非一時的コンピュータ可読媒体。
【請求項１３】
前記動作が、
前記複数のユーザアカウントに前記第２のユーザアカウントを追加することに応答して、前記第２のユーザアカウントに、前記第２のユーザアカウントが前記複数のユーザアカウントに追加されたという通知を送信することであって、ここで前記通知は、前記共同ビデオプロジェクトへのリンクを含むことと、
前記第２のユーザアカウントによる前記リンクの選択に応答して、前記共同ビデオプロジェクトを提示するリクエストを受信することであって、ここで前記第２のユーザアカウントのために前記共同ビデオプロジェクトの前記提示をもたらすことは、前記共同ビデオプロジェクトを提示する前記リクエストを受信することに応答することである、受信することと、をさらに含む、
請求項１２に記載の非一時的コンピュータ可読媒体。
【請求項１４】
ネットワークインタフェースデバイスと処理デバイスを含むシステムであって、
前記ネットワークインタフェースデバイスは、
共同ビデオプロジェクトがシェアされる複数のユーザアカウントの第１のユーザアカウントのためにコンピュータデバイスから第１のユーザ入力を受信し、および
前記複数のユーザアカウントの中の第２のユーザアカウントのためにコンピュータデバイスから、第２のユーザ入力を受信する、ネットワークインタフェースデバイスであって、
ここで前記共同ビデオプロジェクトは、前記第１のユーザアカウントのためのディスプレイ装置上のユーザインタフェース内で提示され、前記共同ビデオプロジェクトは、前記共同ビデオプロジェクトが前記複数のユーザアカウントとシェアされていることに応答して前記共同ビデオプロジェクト内で前記複数のユーザアカウントによってアクセス可能な１つまたは複数のシェアされたビデオクリップのセットと、前記共同ビデオプロジェクト内で前記第１のユーザアカウントによってアクセス可能であり、かつ前記共同ビデオプロジェクト内で前記第１のユーザアカウント以外の前記複数のユーザアカウントのそれぞれによってアクセス不可である、１つまたは複数のパーソナルビデオクリップの第１のセットと、を含み、ここで前記第１のユーザ入力は、前記第１のユーザアカウントのために提示された前記ユーザインタフェース内の１つまたは複数のパーソナルビデオクリップの、前記第１のセット内の第１のビデオクリップの選択を含み、
ここで前記共同ビデオプロジェクトは、前記第２のユーザアカウントのためにディスプレイ装置上の前記ユーザインタフェース内に提示され、前記共同ビデオプロジェクトは、１つまたは複数のシェアされたビデオクリップの前記セットと、前記共同ビデオプロジェクト内で前記第２のユーザアカウントによってアクセス可能であり、かつ前記共同ビデオプロジェクト内で前記第２のユーザアカウント以外の前記複数のユーザアカウントのそれぞれによってアクセス不可である、１つまたは複数のパーソナルビデオクリップの第２のセットと、を含み、ここで前記第２のユーザ入力は、前記第２のユーザアカウントのために提示される前記ユーザインタフェース内の１つまたは複数のシェアされたビデオクリップの前記セット内の前記第１のビデオクリップの選択を含み、
前記処理デバイスは、
前記第１のユーザアカウントのためにディスプレイ装置上の前記ユーザインタフェース内に、前記共同ビデオプロジェクトの提示をもたらし、
前記第１のユーザ入力の受領に応答して、前記第１のビデオクリップを、前記ユーザインタフェース内の１つまたは複数のシェアされたビデオクリップの前記セットに追加し、
前記第２のユーザアカウントのためにディスプレイ装置上の前記ユーザインタフェース内に、前記共同ビデオプロジェクトの提示をもたらし、
前記第２のユーザ入力の受領に応答して、前記ユーザインタフェース内の前記共同ビデオプロジェクトのために共同ビデオに前記第１のビデオクリップを追加する、処理デバイスである、
システム。
【請求項１５】
前記インタフェースは、さらに、第３のユーザ入力を、前記第２のユーザアカウントのためにコンピュータデバイスから受信でき、ここで前記第３のユーザ入力は、前記共同ビデオの前記第１のビデオクリップ上で行う第１のビデオ編集動作の選択を含み、
前記第３のユーザ入力の受領に応答して、前記処理デバイスは、さらに、前記第２のユーザアカウントのために提示された前記ユーザインタフェース内の前記共同ビデオの前記第１のビデオクリップ上で前記第１のビデオ編集動作を行うことができる、
請求項１４に記載のシステム。
【請求項１６】
前記インタフェースは、さらに、第４のユーザ入力を、前記第２のユーザアカウントのためにコンピュータデバイスから受信することができ、ここで前記第４のユーザ入力は、１つまたは複数のパーソナルビデオクリップの前記第２のセットの第２のビデオクリップの選択を含み、
前記第４のユーザ入力の受領に応答して、前記処理デバイスは、さらに、１つまたは複数のシェアされたビデオクリップの前記セットと前記第２のユーザアカウントのために提示された前記ユーザインタフェース内の前記共同ビデオの両方に、前記第２のビデオクリップを追加することができる、
請求項１５に記載のシステム。
【請求項１７】
前記インタフェースは、さらに、第５のユーザ入力を、前記第２のユーザアカウントのためにコンピュータデバイスから受信でき、ここで第５のユーザ入力は、前記共同ビデオの前記第２のビデオクリップ上で行う第２のビデオ編集動作の選択を含み、
前記第５のユーザ入力の受領に応答して、前記処理デバイスは、さらに、前記第２のユーザアカウントのために提示された前記ユーザインタフェース内の前記共同ビデオの前記第２のビデオクリップ上で前記第２のビデオ編集動作を行うことができる、
請求項１６に記載のシステム。
【請求項１８】
前記インタフェースは、さらに、第３のユーザ入力を、前記第１のユーザアカウントのためにコンピュータデバイスから受信でき、ここで前記第３のユーザ入力は、前記第２のユーザアカウントを前記複数のユーザアカウントに追加するリクエストを含み、
前記第３のユーザ入力の受領に応答して、前記処理デバイスは、さらに、前記共同ビデオプロジェクトがシェアされる前記複数のユーザアカウントに、前記第２のユーザアカウントを追加することができる、
請求項１４に記載のシステム。
【請求項１９】
前記複数のユーザアカウントに前記第２のユーザアカウントを追加することに応答して、前記処理デバイスは、さらに、前記第２のユーザアカウントに、前記第２のユーザアカウントが前記複数のユーザアカウントに追加されたという通知を送信することができ、ここで前記通知は、前記共同ビデオプロジェクトへのリンクを含み、
前記第２のユーザアカウントによる前記リンクの選択に応答して、前記インタフェースは、さらに、前記共同ビデオプロジェクトを提示するリクエストを受信することができ、ここで前記処理デバイスは、前記共同ビデオプロジェクトを提示する前記リクエストの受領に応答して、前記第２のユーザアカウントのために前記共同ビデオプロジェクトの前記提示をもたらすことができる、
請求項１８に記載のシステム。
【請求項２０】
ネットワークインタフェースデバイスと処理デバイスを含むシステムであって、
前記ネットワークインタフェースデバイスは、
共同ビデオプロジェクトがシェアされる複数のユーザアカウントの第２のユーザアカウントのためにコンピュータデバイスから第２のユーザ入力を受信するネットワークインタフェースデバイスであって、
ここで、前記共同ビデオプロジェクトは、前記第２のユーザアカウントのためにディスプレイ装置上のユーザインタフェース内に提示され、前記共同ビデオプロジェクトは、前記共同ビデオプロジェクトが前記複数のユーザアカウントとシェアされていることに応答して前記共同ビデオプロジェクト内で前記複数のユーザアカウントによってアクセス可能な１つまたは複数のシェアされたビデオクリップのセットと、前記共同ビデオプロジェクト内で前記第２のユーザアカウントによってアクセス可能であり、かつ前記共同ビデオプロジェクト内で前記第２のユーザアカウント以外の前記複数のユーザアカウントのそれぞれによってアクセス不可である、１つまたは複数のパーソナルビデオクリップの第２のセットと、を含み、
ここで、１つまたは複数のシェアされたビデオクリップの前記セットは、前記共同ビデオプロジェクト内で第１のユーザアカウントによってアクセス可能でありかつ前記共同ビデオプロジェクト内で前記第１のユーザアカウント以外の前記複数のユーザアカウントのそれぞれによってアクセス不可である、１つまたは複数のパーソナルビデオクリップの第１のセット内にあらかじめあり、続いて、前記第１のユーザアカウントのためにコンピュータデバイスからの第１のユーザ入力に応答して、１つまたは複数のシェアされたビデオクリップの前記セットに追加される、第１のビデオクリップを含み、
ここで、前記第２のユーザ入力は、前記第２のユーザアカウントのために提示された前記ユーザインタフェース内の１つまたは複数のシェアされたビデオクリップの、前記セット内の前記第１のビデオクリップの選択を含み、
前記処理デバイスは、
前記第２のユーザアカウントのためにディスプレイ装置上の前記ユーザインタフェース内に、前記共同ビデオプロジェクトの提示をもたらし、
前記第２のユーザ入力の受領に応答して、前記ユーザインタフェース内の前記共同ビデオプロジェクトのために共同ビデオに前記第１のビデオクリップを追加する、処理デバイスである、
システム。